(57)【要約】【課題】線材からなるクリップを備え、両手で操作することなくクリップを持ち上げることができる筆記具を提供する。【解決手段】長手方向に延びる筆記具本体７と、筆記具本体７の側部に保持された線材からなるクリップ部材８と、を備えた筆記具１は、クリップ部材８の長手方向の中間部８Ｂが筆記具本体７の側部に保持されており、クリップ部材８は、クリップ部材８の長手方向の先端部８Ａが筆記具本体７に当接するように筆記具本体７に向かって付勢されており、クリップ部材８の後端部８Ｃを筆記具本体７に向かって押圧することにより、クリップ部材８が、クリップ部材８の先端部８Ａが筆記具本体７から離間するように、回動する。【選択図】図１
2020163826.tif 000002
【特許請求の範囲】
【請求項１】
長手方向に延びる筆記具本体と、前記筆記具本体の側部に保持された線材からなるクリップ部材と、を備えた筆記具であって、
前記クリップ部材の前記長手方向の中間部が前記筆記具本体の側部に保持されており、
前記クリップ部材は、当該クリップ部材の筆先側の部分が前記筆記具本体に当接するように前記筆記具本体に向かって付勢されており、
前記クリップ部材の後部を前記筆記具本体に向かって押圧することにより、当該クリップ部材の前記長手方向の筆先側の部分が前記筆記具本体から離間するように、回動する、ことを特徴とする筆記具。
【請求項２】
前記クリップ部材は前記線材が曲げられて形成されており、
前記線材の両端部が前記筆記具本体の側部に形成された一対の取付部にそれぞれ取り付けられており、
前記クリップ部材は、当該クリップ部材を構成する前記線材の弾性により、前記クリップ部材の前記長手方向の筆先側の部分が前記筆記具本体に向かって付勢される形状に曲げられている、
請求項１に記載の筆記具。
【請求項３】
前記一対の取付部は、それぞれ横方向に延びる穴、又は、切り欠き部により形成されており、
前記線材の両端部の少なくとも一方の端部には屈曲部が形成されており、
当該少なくとも一方の端部に対応する取付部は、基端部に比べて広がった逃げ部を有し、
前記屈曲部は前記逃げ部内に位置している、
請求項２に記載の筆記具。
【請求項４】
前記クリップ部材は少なくとも一部に、前記線材が屈曲されてなる図形が形成されている、
請求項１〜３の何れか１項に記載の筆記具。
【請求項５】
前記筆記具本体は、筒状の軸筒と、前記軸筒の内側に配置される内筒と、を有し、
前記一対の取付穴の一方は貫通孔からなり、前記クリップ部材の一端部が前記貫通孔内に配置されて保持されており、
前記貫通孔は前記軸筒と前記内筒との境界面に形成されている、
請求項２に記載の筆記具。
【発明の詳細な説明】
【技術分野】
【０００１】
本発明は、筆記具に関し、特に、筆記具本体と中間部が筆記具本体の側部に回動可能に支持されたクリップとを備えた筆記具に関する。
【背景技術】
【０００２】
従来より、ボールペンやシャープペンシルなどの筆記具に関し、筆記具本体の後端部にクリップを有する筆記具が知られている。このようなクリップを有する筆記具として、例えば、特許文献１には、クリップを１本の金属弾性線材から構成した筆記具が開示されている。この筆記具では、１本の金属弾性線材を下端基部から左右両線材をＵ字形に曲げ加工し、両端部を筆記具本体の側部に形成された一対の装着穴に取り付けている。
【先行技術文献】
【特許文献】
【０００３】
【特許文献１】特開２００９−３９９４０号公報
【発明の概要】
【発明が解決しようとする課題】
【０００４】
しかしながら、特許文献１に記載された発明では、クリップを筆記具本体から開く際には、筆記具本体を保持した状態で、クリップの筆先側の部分を筆記具本体から離間させなければならない。このため、クリップを開くためには、一方の手で筆記具本体を保持し、他方の手でクリップの筆先側の部分を持ち上げなければならず、両手で筆記具を操作する必要があり非常に煩わしい。
【０００５】
本発明は、上記の問題に鑑みなされたものであり、線材からなるクリップを備え、両手で操作することなくクリップを開くことができる筆記具を提供することを目的としている。
【課題を解決するための手段】
【０００６】
本発明の筆記具は、長手方向に延びる筆記具本体と、筆記具本体の側部に保持された線材からなるクリップ部材と、を備えた筆記具であって、クリップ部材の長手方向の中間部が筆記具本体の側部に保持されており、クリップ部材は、クリップ部材の長手方向の筆先側の部分が筆記具本体に当接するように筆記具本体に向かって付勢されており、クリップ部材の後部を筆記具本体に向かって押圧することにより、クリップ部材の長手方向の筆先側の部分が筆記具本体から離間するように、回動する、ことを特徴とする。
【０００７】
上記構成の本発明によれば、片手の人差し指、中指、薬指、小指で筆記具本体を把持した状態で、クリップ部材の後部を押し込むことにより、クリップ部材の先端部を筆記具本体から離間させて、クリップ部材と筆記具本体とを開くことができ、片手で操作することができる。
【０００８】
本発明において、好ましくは、クリップ部材は線材が曲げられて形成されており、線材の両端部が筆記具本体の側部に形成された一対の取付部にそれぞれ取り付けられており、クリップ部材は、クリップ部材を構成する線材の弾性により、クリップ部材の長手方向の筆先側の部分が筆記具本体に向かって付勢されるような形状に曲げられている。
【０００９】
上記構成の本発明によれば、クリップ部材を構成する線材の弾性により筆記具本体に向かって、クリップ部材の筆先側の部分が付勢されるため、ばねなどの付勢部材を用いることなく、簡単な構成でクリップ部材を構成することができる。
【００１０】
本発明において、好ましくは、一対の取付部は、それぞれ横方向に延びる穴、又は、切り欠き部により形成されており、線材の両端部の少なくとも一方の端部には屈曲部が形成されており、少なくとも一方の端部に対応する取付部は、基端部に比べて広がった逃げ部を有し、屈曲部は逃げ部内に位置している。
【００１１】
上記構成の本発明によれば、線材の少なくとも一端に屈曲部が形成され、この屈曲部が逃げ部内に配置されているため、線材の端部が取付部から外れるのを防止できる。
【００１２】
本発明において、好ましくは、クリップ部材は少なくとも一部に、線材が屈曲されてなる図形が形成されている。
【００１３】
上記構成の本発明によれば、クリップ部材に意匠性を持たせることができる。
【００１４】
本発明において、好ましくは、筆記具本体は、筒状の軸筒と、軸筒の内側に配置される内筒と、を有し、一対の取付穴の一方は貫通孔からなり、クリップ部材の一端部が貫通孔内に配置されて保持されており、貫通孔は軸筒と内筒との境界面に形成されている。
【００１５】
上記構成の本発明によれば、クリップ部材を貫通孔により保持するため、クリップ部材が簡単に外れることを防止できるとともに、貫通孔が軸筒と内筒との境界面に配置されているため、容易にクリップ部材を貫通孔内に配置することができる。
【発明の効果】
【００１６】
本発明によれば、線材からなるクリップ部材を備え、両手で操作することなくクリップ部材を持ち上げることができる筆記具が提供される。
【図面の簡単な説明】
【００１７】
【図１】図１は、本発明の第１実施形態による筆記具を示す斜視図である。
【図２】図２は、本発明の第１実施形態による筆記具を示す正面図である。
【図３】図３は、本発明の第１実施形態による筆記具を示す側面図である。
【図４】図１に示す筆記具の軸筒を示す軸方向に沿った断面図である。
【図５Ａ】図１に示す筆記具の内筒を示す斜視図である。
【図５Ｂ】図１に示す筆記具の内筒を示す正面図である。
【図５Ｃ】図１に示す筆記具の内筒を示す右側面図である。
【図５Ｄ】図１に示す筆記具の内筒を示す左側面図である。
【図５Ｅ】図５ＢのＥ−Ｅ断面図である。
【図５Ｆ】図５ＣのＦ−Ｆ断面図である。
【図６Ａ】図１に示す筆記具のクリップ部材を示す斜視図である。
【図６Ｂ】図１に示す筆記具のクリップ部材を示す正面図である。
【図６Ｃ】図１に示す筆記具のクリップ部材を示す側面図である。
【図７】本発明の第１実施形態による筆記具のクリップを開いた状態を示す側面図である。
【図８】本発明の第２実施形態による筆記具を示す斜視図である。
【図９】本発明の第２実施形態による筆記具を示す正面図である。
【図１０】本発明の第２実施形態による筆記具を示す側面図である。
【図１１】図８に示す筆記具の軸筒を示す軸方向に沿った断面図である。
【図１２Ａ】図８に示す筆記具の内筒を示す斜視図である。
【図１２Ｂ】図８に示す筆記具の内筒を示す正面図である。
【図１２Ｃ】図８に示す筆記具の内筒を示す右側面図である。
【図１２Ｄ】図８に示す筆記具の内筒を示す左側面図である。
【図１２Ｅ】図１２ＣのＥ−Ｅ断面図である。
【図１２Ｆ】図１２ＢのＦ−Ｆ断面図である。
【図１２Ｇ】図１２ＣのＧ−Ｇ断面図である。
【図１３Ａ】図８に示す筆記具のクリップ部材を示す斜視図である。
【図１３Ｂ】図８に示す筆記具のクリップ部材を示す正面図である。
【図１３Ｃ】図８に示す筆記具のクリップ部材を示す側面図である。
【図１４Ａ】本発明の第２実施形態による筆記具のクリップ部材を取り付ける方法を説明するための正面図（その１）である。
【図１４Ｂ】本発明の第２実施形態による筆記具のクリップ部材を取り付ける方法を説明するための側面図（その１）である。
【図１５Ａ】本発明の第２実施形態による筆記具のクリップ部材を取り付ける方法を説明するための正面図（その２）である。
【図１５Ｂ】本発明の第２実施形態による筆記具のクリップ部材を取り付ける方法を説明するための側面図（その２）である。
【図１６】本発明の第２実施形態による筆記具のクリップ部材を取り付ける方法を説明するための正面図（その３）である。
【図１７】本発明の第２実施形態による筆記具のクリップを開いた状態を示す側面図である。
【図１８】本発明の第３実施形態による筆記具を示す斜視図である。
【図１９Ａ】図１８に示す筆記具のクリップ部材を示す斜視図である。
【図１９Ｂ】図１８に示す筆記具のクリップ部材を示す正面図である。
【図１９Ｃ】図１８に示す筆記具のクリップ部材を示す側面図である。
【図２０Ａ】本発明の第４実施形態による筆記具の内筒を示す斜視図である。
【図２０Ｂ】本発明の第４実施形態による筆記具の内筒を示す正面図である。
【図２０Ｃ】本発明の第４実施形態による筆記具の内筒を示す右側面図である。
【図２０Ｄ】本発明の第４実施形態による筆記具の内筒を示す左側面図である。
【図２０Ｅ】図２０ＣのＥ−Ｅ断面図である。
【図２０Ｆ】図２０ＢのＦ−Ｆ断面図である。
【図２０Ｇ】図２０ＣのＧ−Ｇ断面図である。
【図２１】本発明の第５実施形態による筆記具を示す斜視図である。
【図２２】本発明の第５実施形態による筆記具を示す正面図である。
【図２３】本発明の第５実施形態による筆記具を示す側面図である。
【図２４】図２１に示す筆記具の軸筒を示す軸方向に沿った断面図である。
【図２５Ａ】本発明の第５実施形態による筆記具の後方軸筒を示す斜視図である。
【図２５Ｂ】本発明の第５実施形態による筆記具の後方軸筒を示す正面図である。
【図２５Ｃ】本発明の第５実施形態による筆記具の後方軸筒を示す側面図である。
【図２５Ｄ】本発明の第５実施形態による筆記具の後方軸筒を示し、図２５ＣにおけるＤ−Ｄ断面図である。
【図２５Ｅ】本発明の第５実施形態による筆記具の後方軸筒を示し、図２５ＢにおけるＥ−Ｅ断面図である。
【図２５Ｆ】本発明の第５実施形態による筆記具の後方軸筒を示す前方から見た図である。
【図２５Ｇ】本発明の第５実施形態による筆記具の後方軸筒を示す後方から見た図である。
【図２６Ａ】図２１に示す筆記具の内筒を示す斜視図である。
【図２６Ｂ】図２１に示す筆記具の内筒を示す正面図である。
【図２６Ｃ】図２１に示す筆記具の内筒を示す右側面図である。
【図２６Ｄ】図２１に示す筆記具の内筒を示す左側面図である。
【図２６Ｅ】図２１に示す筆記具の内筒を示し、図２６ＢのＥ−Ｅ断面図である。
【図２６Ｆ】図２１に示す筆記具の内筒を示し、図２６ＣのＦ−Ｆ断面図である。
【図２６Ｇ】図２１に示す筆記具の内筒を示し、図２６ＣのＧ−Ｇ断面図である。
【図２６Ｈ】図２１に示す筆記具の内筒を示し、図２６ＣのＨ−Ｈ断面図である。
【図２７Ａ】図２１に示す筆記具のクリップ部材を示す斜視図である。
【図２７Ｂ】図２１に示す筆記具のクリップ部材を示す正面図である。
【図２７Ｃ】図２１に示す筆記具のクリップ部材を示す側面図である。
【図２８Ａ】本発明の第５実施形態の筆記具におけるクリップ部材を内筒に取り付け、内筒を後方軸筒に取り付ける方法を説明するための斜視図（その１）である。
【図２８Ｂ】図２８Ａに対応する側面図である。
【図２９Ａ】本発明の第５実施形態の筆記具におけるクリップ部材を内筒に取り付け、内筒を後方軸筒に取り付ける方法を説明するための斜視図（その２）である。
【図２９Ｂ】図２９Ａに対応する側面図である。
【図３０Ａ】本発明の第５実施形態の筆記具におけるクリップ部材を内筒に取り付け、内筒を後方軸筒に取り付ける方法を説明するための斜視図（その３）である。
【図３０Ｂ】図３０Ａに対応する側面図である。
【図３１Ａ】本発明の第５実施形態の筆記具におけるクリップ部材を内筒に取り付け、内筒を後方軸筒に取り付ける方法を説明するための斜視図（その４）である。
【図３１Ｂ】図３１Ａに対応する側面図である。
【図３２Ａ】本発明の第５実施形態の筆記具におけるクリップ部材を取り付けた内筒を後方軸筒に取り付け、ノック部材及び回転子を取り付けた状態を示す図２４に対応する断面図である。
【図３２Ｂ】図３２ＡにおけるＢ−Ｂ断面図である。
【図３２Ｃ】図３２ＢにおけるＣ部の拡大断面図である。
【図３２Ｄ】図３２ＡにおけるＤ−Ｄ断面図である。
【発明を実施するための形態】
【００１８】
＜第１実施形態＞
以下、本発明の第１実施形態による筆記具について図面を参照しながら詳細に説明する。なお、各実施形態において、リフィルの筆先が出没する側を筆先側、先端側又は前方といい、出没機構のノック部が延出する側を後端側又は後方という。また、筆記具の軸方向を長手方向又は軸方向という。
【００１９】
図１〜図３は、本発明の第１実施形態による筆記具を示し、図１は斜視図、図２は正面図、図３は側面図である。また、図４は、図１に示す筆記具の軸筒を示す軸方向に沿った断面図である。本実施形態による筆記具１は、いわゆるノック式のボールペンであり、後端のノック部材１６を押し込むことにより、リフィル部材４の筆先部４ａが軸筒２の先端から突出した状態と、リフィル部材４の筆先部４ａが軸筒２内に収容された状態とを切り替えることができる。
【００２０】
図１〜図４に示すように、本実施形態の筆記具１は、筆記具本体７と、筆記具本体７の側部に保持されたクリップ部材８とを備える。筆記具本体７は、円筒状の長尺な軸筒２と、軸筒２内に収容されたリフィル部材４と、軸筒２の後端部に設けられた出没機構６と、を備える。出没機構６は、内筒１０と、回転子１２と、スプリング部材１４と、ノック部材１６とを備える。
【００２１】
軸筒２は先端部が先細り状である円筒形状に形成されている。軸筒２の先端部には先端開口２ａが形成されており、後端部には後端開口２ｂが形成されている。軸筒２の後端部の内面には半径方向内側に向かって全周にわたって突出する円環状の凸部２ｃが形成されている。また、軸筒２の後端の縁には、後述する内筒１０のクリップ取付部１０ｃに相当する形状の切欠部２ｄが形成されている。
【００２２】
図５Ａ〜図５Ｅは、図１に示す筆記具の内筒を示し、図５Ａは斜視図、図５Ｂは正面図、図５Ｃは右側面図、図５Ｄは左側面図、図５Ｅは図５ＢのＥ−Ｅ断面図、図５Ｆは図５ＣのＦ−Ｆ断面図である。図５Ａ〜Ｆに示すように、内筒１０は、円筒状の本体部１０ａと、本体部１０ａの後端側に接続された後端部１０ｂと、本体部１０ａの後端側に接続されたクリップ取付部１０ｃとを備える。これら、本体部１０ａと、後端部１０ｂと、クリップ取付部１０ｃとは一体に成形されている。
【００２３】
本体部１０ａは略円筒状であり、本体部１０ａの外径は軸筒２の内径よりもわずかに小さい。本体部１０ａの下部の外面には半径方向外方に向かって全周にわたって突出する突出部１０ｄが形成されている。また、本体部１０ａの後端部の内周面にはカム部１０ｆが形成されている。カム部１０ｆは、回転子１２のカム部１２ｂと協働して、ノック部材１６を押圧することにより、回転子１２を回動させてリフィル部材４の筆先部４ａが軸筒２の先端開口２ａから突出した状態と、軸筒２内に収容された状態とを切り替えるための部位である。内筒１０のカム部１０ｆ及び回転子１２のカム部１２ｂの構成としては、周知の構成を採用することができる。本実施形態では、内筒１０のカム部１０ｆは前方に向かって延びる凸部と、凸部の間に後方に向かって延びるように形成された凹部とを有している。
【００２４】
後端部１０ｂは、円環状に形成されており、外径は軸筒２の外径と略等しくなっている。後端部１０ｂには前後方向に貫通する円形の貫通孔が形成されている。
【００２５】
クリップ取付部１０ｃは、本体部１０ａの後端から所定の距離をあけて設けられており、側方に向かって延びる柱体状に形成されている。クリップ取付部１０ｃの横方向（図５Ｂにおける左右方向）の両側面は平行に形成されている。
【００２６】
図５Ｃ、５Ｅ、５Ｆに示すように、クリップ取付部１０ｃの右側面の後部には横方向に延びる第１の取付穴１０ｇが開口している。第１の取付穴１０ｇは、クリップ取付部１０ｃの横方向中間部において終端しており、左側面まで貫通していない。
【００２７】
また、図５Ｄ、５Ｅに示すように、クリップ取付部１０ｃの左側面の前部には横方向に延びる第２の取付穴１０ｈが開口している。第２の取付穴１０ｈは、クリップ取付部１０ｃの横方向中間部において終端しており、右側面まで貫通していない。第１の取付穴１０ｇ及び第２の取付穴１０ｈは長手方向に整列しており（すなわち、内筒１０の中心軸から等距離に位置しており）、第１の取付穴１０ｇは第２の取付穴１０ｈよりも後方に形成されている。
【００２８】
回転子１２は、後方側の基端部１２ａと、前方側のカム部１２ｂとを有する。基端部１２ａは円筒状に形成されており、その外径はノック部材１６の内径よりも小さい。カム部１２ｂは円筒状に形成されており、その外径は内筒１０の本体部１０ａの内径よりもわずかに小さい。カム部１２ｂの外面には後方に向かって延びる凸部と、凸部の間に前方に向かって延びるように形成された凹部とを有する。
【００２９】
ノック部材１６は上方が閉鎖され、下方が開放された円筒状に形成されている。ノック部材１６の外径は、内筒１０の後端部１０ｂの貫通孔の内径と略等しくなっている。また、ノック部材１６の外周面の下端部には、周方向にわたって半径方向外方に突出する突部１６ａが形成されている。
【００３０】
スプリング部材１４は、後方端部がリフィル部材４の先端部に当接し、先端部が軸筒２の先端部に当接している。これにより、スプリング部材１４は、リフィル部材４を後方に向かって付勢している。
【００３１】
組み立て状態において、内筒１０は、本体部１０ａが軸筒２の後端開口２ｂから挿入され軸筒２の内側に位置し、後端部１０ｂが軸筒２の後端縁に当接するように配置されている。また、内筒１０の突出部１０ｄが軸筒２の凸部２ｃよりも先端側に位置し、これにより内筒１０が軸筒２に固定されている。また、ノック部材１６は、内筒１０の後端部１０ｂの貫通孔に前方から挿通され、突部１６ａが内筒１０の本体部１０ａの内側に位置している。また、回転子１２は、基端部１２ａがノック部材１６の内側に前方から挿入されており、ノック部材１６の先端縁が回転子１２のカム部１２ｂの後端面に当接している。また、回転子１２のカム部１２ｂの先端面がリフィル部材４に当接している。これにより、回転子１２及びノック部材１６はリフィル部材４を介して後方に向かって付勢されている。
【００３２】
このような状態でノック部材１６を押し込むことにより、回転子１２が回転し、内筒１０のカム部１０ｆの凹部に回転子１２のカム部１２ｂの凸部が入り込んだ状態と、内筒１０のカム部１０ｆの凸部の先端と、回転子１２のカム部１２ｂの凸部の先端とが当接した状態とが切り替わり、リフィル部材４の筆先部４ａが軸筒２内に収容された状態と、軸筒２の先端から突出した状態とを切り替えることができる。
【００３３】
図６Ａ〜図６Ｃは、図１に示す筆記具のクリップ部材を示し、図６Ａは斜視図、図６Ｂは正面図、図６Ｃは側面図である。なお、図６Ｃにおいては、クリップ部材を内筒から取り外した状態を示している。図６Ａ〜図６Ｃに示すように、クリップ部材８は、一本のステンレス等の金属線材が曲げ加工されて形成されている。クリップ部材８は、Ｕの字形に形成された先端部８Ａと、略矩形状の形成された後端部８Ｃと、先端部８Ａ及び後端部８Ｃの間の中間部８Ｂと、を有する。
【００３４】
先端部８Ａは、第１の縦部８ｂの前方部と、第２の縦部８ｃの前方部と、第１の縦部８ｂの前端と第２の縦部８ｃの前端とを接続する円弧状部８ａと、により構成されている。第１の縦部８ｂは、円弧状部８ａの右側（図６Ｂの右側）の端部から後方に向かって延びている。また、第２の縦部８ｃは、円弧状部８ａの左側（図６Ｂの左側）の端部から後方に向かって延びている。第１の縦部８ｂは、中間部８Ｂにおける第２の端部８ｉの後方まで延びている。第２の縦部８ｃは、中間部８Ｂを越えて後端部８Ｃまで延びている。
【００３５】
後端部８Ｃは、第２の縦部８ｃの後端部と、第２の縦部８ｃの後端部から右側（図６Ｂの右側）に延びる第１の横部８ｄと、第１の横部８ｄの右側（図６Ｂの右側）の端部から前方に延びる第３の縦部８ｅと、第３の縦部８ｅの前端部から左側（図６Ｂの左側）に延びる第２の横部８ｆと、により構成されている。第２の横部８ｆは、第１の端部８ｈよりも後方に位置している。第２の横部８ｆの左側（図６Ｂの左側）の端部から第４の縦部８ｇが前方に向かって延びている。
【００３６】
中間部８Ｂは、第１の縦部８ｂの後端部から左側（図６Ｂの左側）に向かって延びる第１の端部８ｈと、第４の縦部８ｇの前端部から右側（図６Ｂの右側）に向かって延びる第２の端部８ｉとを備える。第１の端部８ｈは、第２の端部８ｉよりも後方に位置している。
【００３７】
クリップ部材８を内筒１０から取り外した状態では、第１の縦部８ｂは、第２の縦部８ｃが延びる方向に対して、後方に向かって半径方向中心側（図６Ｃの右側）に傾斜している。また、第３の縦部８ｅ及び第４の縦部８ｇは、第２の縦部８ｃが延びる方向に対して、後方に向かって半径方向外側（図６Ｃの左側）に傾斜している。このため、第１の端部８ｈは、第２の端部８ｉよりも筆記具本体側に位置している。なお、クリップ部材８の付勢力は少なくとも第１の縦部８ｂが傾斜していればよい。
【００３８】
組み立て状態において、内筒１０のクリップ取付部１０ｃの第１の取付穴１０ｇ及び第２の取付穴１０ｈは、軸筒２の外面から所定の距離だけ離間し、長手方向に整列するように位置している。クリップ部材８は、第１の端部８ｈが内筒１０のクリップ取付部１０ｃの第１の取付穴１０ｇに挿入され、第２の端部８ｉがクリップ取付部１０ｃの第２の取付穴１０ｈに挿入されて固定されている。クリップ部材８は、第１の縦部８ｂ、第３の縦部８ｅ及び第４の縦部８ｇが、第２の縦部８ｃと略平行になるように変形された状態で取り付けられている。
【００３９】
このような構成により、クリップ部材８の中間部８Ｂがクリップ取付部１０ｃに保持される。また、上記の通り、クリップ部材８は変形された状態で取り付けられているため、クリップ部材８を構成する金属線材の弾性力により先端部８Ａが筆記具本体７に向かって付勢される。これにより、図３に示すように、クリップ部材８を内筒１０に取り付けた状態で、クリップ部材８の先端部８Ａが筆記具本体７の軸筒２の外周面に当接している。
【００４０】
図７は、本発明の第１実施形態による筆記具のクリップを開いた状態を示す側面図である。図７に示すように、クリップ部材８の後端部８Ｃを筆記具本体７に向かって半径方向内側に押し込むと、クリップ取付部１０ｃに保持された中間部８Ｂを支点として回動し、クリップ部材８の先端部８Ａが筆記具本体７から離間するように半径方向外方に移動する。このため、本実施形態の筆記具１の使用者は、片手の人差し指、中指、薬指、小指で筆記具本体７の軸筒２を把持した状態で、クリップ部材８の後端部８Ｃを押し込むことにより、クリップ部材８の先端部８Ａを筆記具本体７から離間させて、クリップ部材８と筆記具本体７とを開くことができる。
【００４１】
なお、本発明において、クリップが筆記具本体に向かって回動するとは、厳密に一つの軸を中心にクリップが回転する場合のみならず、上記実施形態のようにクリップ部の中間部が支持された状態で、クリップ部材の後部を半径方向内側に押圧することにより、クリップ部材の先端部が半径方向外側に移動する場合を含むものである。
【００４２】
本実施形態によれば、以下の効果が奏される。
本実施形態では、クリップ部材８の中間部８Ｂが筆記具本体７の側部に保持されており、クリップ部材８の後端部８Ｃを筆記具本体７に向かって押圧することにより、クリップ部材８が、クリップ部材８の先端部８Ａが筆記具本体７から離間するように、回動する。このため、片手の人差し指、中指、薬指、小指で筆記具本体７の軸筒２を把持した状態で、クリップ部材８の後端部８Ｃを押し込むことにより、クリップ部材８を開くことができ、片手で操作することができる。
【００４３】
また、本実施形態によれば、クリップ部材８を構成する線材の弾性により先端部８Ａが筆記具本体７に向かってが付勢されるため、ばねなどの付勢部材を用いることなく、簡単な構成でクリップ部材８を構成することができる。
【００４４】
なお、本実施形態では、内筒１０にクリップ取付部１０ｃを設け、クリップ取付部１０ｃにクリップ部材８を取り付けているが、これに限らず、軸筒２の側面にクリップ取付部を設け、クリップ部材８を取り付けてもよい。
【００４５】
また、本実施形態では、第１の取付穴１０ｇ及び第２の取付穴１０ｈが長手方向に整列し、クリップ部材８を内筒１０から取り外した状態において、第１の端部８ｈは、第２の端部８ｉよりも筆記具本体側に位置するように構成しているが、本発明はこれに限られない。クリップ部材８を平坦に形成した場合であっても、筆先側の第２の取付穴１０ｈを第１の取付穴１０ｇよりも筆記具本体７側に形成すれば、クリップ部材８の先端部が筆記具本体７側に付勢することができる。
【００４６】
また、本実施形態では、クリップ部材８の第１の端部８ｈ及び第２の端部８ｉを固定するために、第１の取付穴１０ｇ及び第２の取付穴１０ｈを設けたが、これに限らず、切り欠きを形成してもよい。
【００４７】
また、本実施形態では、ノック式のボールペンに本発明を適用した場合について説明したが、本発明が適用できる筆記具はこれに限定されない。例えば、ノック式のシャープペンシルや、ノック機構を備えていない筆記具にも適用できる。また、キャップ式の筆記具のキャップにクリップを取り付けることも可能である。
【００４８】
＜第２実施形態＞
以下、本発明の第２実施形態による筆記具について図面を参照しながら詳細に説明する。なお、以下の説明において、第１実施形態と同様の構成については同じ符号を付して詳細な説明を省略する。
【００４９】
図８〜図１１は、本発明の第２実施形態による筆記具を示し、図８は斜視図、図９は正面図、図１０は側面図である。また、図１１は、図８に示す筆記具の軸筒を示す軸方向に沿った断面図である。本実施形態による筆記具は、いわゆるノック式のボールペンであり、後端のノック部材１６を押し込むことにより、リフィル部材４の筆先部４ａが軸筒２の先端から突出した状態と、リフィル部材４の筆先部４ａが軸筒２内に収容された状態とを切り替えることができる。本実施形態の筆記具１０１は、内筒１１０及びクリップ部材１０８の構成のみが第１実施形態と異なり、その他の構成は第１実施形態と同様である。
【００５０】
図８〜図１１に示すように、本実施形態の筆記具１０１は、筆記具本体１０７と、筆記具本体１０７の側部に保持されたクリップ部材１０８とを備える。筆記具本体１０７は、円筒状の軸筒２と、軸筒２内に収容されたリフィル部材４と、軸筒２の後端部に設けられた出没機構１０６と、を備える。出没機構１０６は、内筒１１０と、回転子１２と、スプリング部材１４と、ノック部材１６とを備える。
【００５１】
図１２Ａ〜図１２Ｇは、図８に示す筆記具の内筒を示し、図１２Ａは斜視図、図１２Ｂは正面図、図１２Ｃは右側面図、図１２Ｄは左側面図である。また、図１２Ｅは図１２ＣのＥ−Ｅ断面図、図１２Ｆは図１２ＢのＦ−Ｆ断面図であり、図１２Ｇは図１２ＣのＧ−Ｇ断面図である。図１２Ａ〜Ｇに示すように、内筒１１０は、円筒状の本体部１１０ａと、本体部１１０ａの後端側に接続された後端部１１０ｂと、本体部１１０ａの後端側に接続されたクリップ取付部１１０ｃとを備える。これら、本体部１１０ａと、後端部１１０ｂと、クリップ取付部１１０ｃとは一体に成形されている。
【００５２】
本体部１１０ａは略円筒状であり、本体部１１０ａの外径は軸筒２の内径よりもわずかに小さい。また、本体部１１０ａの後端部の内周面にはカム部１１０ｆが形成されている。カム部１１０ｆは、回転子１２のカム部１２ｂと協働して、ノック部材１６を押圧することにより、回転子１２を回動させてリフィル部材４の筆先部４ａが軸筒２の先端開口２ａから突出した状態と、軸筒２内に収容された状態とを切り替えることができる。内筒１１０のカム部１１０ｆ及び回転子１２のカム部１２ｂの構成としては、周知の構成を採用することができる。
【００５３】
後端部１１０ｂは、円環状に形成されており、外形が軸筒２の外径と略等しくなっている。後端部１１０ｂには前後方向に貫通する円形の貫通孔が形成されている。
【００５４】
クリップ取付部１１０ｃは、本体部１１０ａの後端から所定の距離をあけて設けられており、側方に向かって延びる柱体状に形成されている。クリップ取付部１１０ｃの横方向（図１２Ｂにおける左右方向）の両側面は平行に形成されている。
【００５５】
クリップ取付部１１０ｃの後部には第１の取付切欠１１０ｇが形成されている。第１の取付切欠１１０ｇは、クリップ取付部１１０ｃの後端部の半径方向外側端部（図１２Ｃのクリップ取付部１１０ｃの上方かつ左側端部）から前方（図１２Ｃの下側）に向かって半径方向内側（図１２Ｃの右側）に傾斜するように伸びる切り欠きにより構成されている。第１の取付切欠１１０ｇの終端には円柱状の収容部１１０ｇ１が形成されている。
【００５６】
また、クリップ取付部１１０ｃの前部には横方向に貫通する第２の取付穴１１０ｈが形成されている。第２の取付穴１１０ｈは、右側の基端部１１０ｈ１と、左側の逃げ部１１０ｈ２とを有する。基端部１１０ｈ１は、クリップ取付部１１０ｃの右側面に開口しており、円柱状に形成されている。また、逃げ部１１０ｈ２はクリップ取付部１１０ｃの左側面に開口しており、基端部１１０ｈ１よりも直径の大きな円柱状に形成されている。
【００５７】
第１の取付切欠１１０ｇの収容部１１０ｇ１及び第２の取付穴１１０ｈは長手方向に整列しており（すなわち、内筒１１０の中心軸から等距離に位置しており）、第１の取付切欠１１０ｇは第２の取付穴１１０ｈよりも後方に形成されている。
【００５８】
回転子１２、ノック部材１６、及びスプリング部材１４の構成は、第１実施形態と同様である。
【００５９】
組み立て状態において、内筒１１０は、本体部１１０ａが軸筒２の後端開口２ｂから挿入され内筒１１０の内側に位置し、後端部１１０ｂが軸筒２の後端縁に当接するように配置されている。また、ノック部材１６は、内筒１１０の後端部１１０ｂの貫通孔に前方から挿通され、突部１６ａが内筒１０の本体部１０ａの内側に位置している。また、回転子１２は、基端部１２ａがノック部材１６の内側に前方から挿入されており、ノック部材１６の先端縁が回転子１２のカム部１２ｂの後端面に当接している。また、回転子１２のカム部１２ｂの先端面がリフィル部材４に当接している。これにより、回転子１２及びノック部材１６はリフィル部材４を介して後方に向かって付勢されている。
【００６０】
このような状態でノック部材１６を押し込むことにより、回転子１２が回転し、内筒１１０のカム部１１０ｆの凹部に回転子１２のカム部１２ｂの凸部が入り込んだ状態と、内筒１１０のカム部１１０ｆの凸部の先端と、回転子１２のカム部１２ｂの凸部の先端とが当接した状態とが切り替わり、リフィル部材４の筆先部４ａが軸筒２内に収容された状態と、軸筒２の先端から突出した状態とを切り替えることができる。
【００６１】
図１３Ａ〜図１３Ｃは、図８に示す筆記具のクリップ部材を示し、図１３Ａは斜視図、図１３Ｂは正面図、図１３Ｃは側面図である。なお、図１３Ａ〜図１３Ｃにおいては、クリップ部材を内筒から取り外した状態を示している。図１３Ａ〜図１３Ｃに示すように、クリップ部材１０８は、一本のステンレス等の金属線材が曲げ加工されて形成されている。クリップ部材１０８は、Ｕの字形に形成された先端部１０８Ａと、Ｕの字形の形成された後端部１０８Ｃと、先端部１０８Ａ及び後端部１０８Ｃの間の中間部１０８Ｂと、を有する。
【００６２】
先端部１０８Ａは、第１の縦部１０８ｂの前方部と、第２の縦部１０８ｃの前方部と、第１の縦部１０８ｂの前端と第２の縦部１０８ｃの前端とを接続する第１の円弧状部１０８ａと、により構成されている。第１の縦部１０８ｂは、第１の円弧状部１０８ａの右側（図１３Ｂの右側）の端部から後方に向かって中間部１０８Ｂまで延びている。また、第２の縦部１０８ｃは、第１の円弧状部１０８ａの左側（図１３Ｂの左側）の端部から後方に向かって、中間部１０８Ｂを越えて後端部１０８Ｃまで延びている。
【００６３】
後端部１０８Ｃは、第２の縦部１０８ｃの後端部と、第２の縦部１０８ｃの後端部から右側（図１３Ｂの右側）に円弧状に延びる第２の円弧状部１０８ｄと、第２の円弧状部１０８ｄの右側（図１３Ｂの右側）の端部から前方に延びる第３の縦部１０８ｅと、により構成されている。
【００６４】
中間部１０８Ｂは、第３の縦部１０８ｅの前端部から左側（図１３Ｂの左側）に向かって延びる第１の端部１０８ｆと、第１の縦部１０８ｂの後端部から左側（図１３Ｂの左側）に向かって延びる第２の端部１０８ｇとを備える。第２の端部１０８ｇの先端には、左方向に向かって前方に傾斜する屈曲部１０８ｈが形成されている。
【００６５】
クリップ部材１０８を内筒１１０から取り外した状態では、第１の縦部１０８ｂは、第２の縦部１０８ｃが延びる方向に対して、後方に向かって半径方向外側（図１３Ｃの左側）に傾斜している。このため、第１の端部１０８ｆは、第２の端部１０８ｇよりも筆記具本体側に位置している。
【００６６】
組み立て状態において、内筒１１０のクリップ取付部１１０ｃの第１の取付切欠１１０ｇの収容部１１０ｇ１及び第２の取付穴１１０ｈは、軸筒２の外面から所定の距離だけ離間し、長手方向に整列するように位置している。クリップ部材１０８は、第１の端部１０８ｆが内筒１１０のクリップ取付部１１０ｃの第１の取付切欠１１０ｇに挿入され、第２の端部１０８ｇがクリップ取付部１１０ｃの第２の取付穴１１０ｈに挿入されて固定されている。この際、第２の端部１０８ｇの先端の屈曲部１０８ｈが、第２の取付穴１１０ｈの逃げ部１１０ｈ２内に位置している。クリップ部材１０８は、第１の縦部１０８ｂが、第２の縦部１０８ｃと略平行になるように変形された状態で取り付けられている。
【００６７】
これにより、クリップ部材１０８の中間部１０８Ｂがクリップ取付部１１０ｃに保持される。また、上記の通り、クリップ部材１０８は変形された状態で取り付けられているため、クリップ部材１０８を構成する金属線材の弾性力により先端部１０８Ａが筆記具本体７に向かって付勢される。これにより、図１０に示すように、クリップ部材１０８を内筒１１０に取り付けた状態で、クリップ部材１０８の先端部１０８Ａが筆記具本体１０７の軸筒２の外周面に当接している。
【００６８】
なお、クリップ部材１０８を取り付ける際には、まず、図１４Ａ及び図１４Ｂに示すように、前後を反転させるとともに、表裏を反転させた状態（すなわち、第２の端部１０８ｇが第１の端部１０８ｆよりも後方側かつ筆記具本体１０７側に位置するような状態）で、第２の端部１０８ｇの屈曲部１０８ｈを第２の取付穴１１０ｈの基端部１１０ｈ１に挿入し、クリップ部材１０８を第２の端部１０８ｇを中心に第１の円弧状部１０８ａが後端側に位置するまで回転させて、屈曲部１０８ｈが逃げ部１１０ｈ２内に位置するように第２の端部１０８ｇを第２の取付穴１１０ｈに挿入する。
【００６９】
次に、図１５Ａ、１５Ｂに示すように、第２の縦部１０８ｃを第２の円弧状部１０８ｄ側が筆記具本体１０７の左側に位置するように第１の円弧状部１０８ａを湾曲させる。そして、図１５Ｂに矢印で示すように、第２の端部１０８ｇを中心として、第１の円弧状部１０８ａが前方に位置するようにクリップ部材１０８を回動させる。
【００７０】
次に、図１６に示すように、第３の縦部１０８ｅ及び第１の端部１０８ｆを、第１の取付切欠１１０ｇに側方から挿入し、第１の端部１０８ｆを収容部１１０ｇ１に配置する。これにより、クリップ部材１０８をクリップ取付部１１０ｃに取り付けることができる。なお、第１の端部１０８ｆを収容部１１０ｇ１に配置した取り付けた後のクリップ部材１０８は、クリップ部材１０８又は内筒１１０を破壊しない限り、取り外すことができない。
【００７１】
図１７は本発明の第２実施形態による筆記具のクリップを開いた状態を示す側面図である。図１７に示すように、クリップ部材１０８の後端部１０８Ｃを筆記具本体１０７に向かって半径方向内側に押し込むと、クリップ取付部１１０ｃに保持された中間部１０８Ｂを支点として回動し、クリップ部材１０８の先端部１０８Ａが筆記具本体１０７から離間するように半径方向外方に移動する。このため、本実施形態の筆記具１０１の使用者は、片手の人差し指、中指、薬指、小指で筆記具本体１０７の軸筒２を把持した状態で、クリップ部材１０８の後端部１０８Ｃを押し込むことにより、クリップ部材１０８の先端部１０８Ａを筆記具本体１０７から離間させて、クリップ部材１０８と筆記具本体１０７とを開くことができる。
【００７２】
本実施形態によれば、以下の効果が奏される。
本実施形態では、クリップ部材１０８の中間部１０８Ｂが筆記具本体１０７の側部に保持されており、クリップ部材１０８の後端部１０８Ｃを筆記具本体１０７に向かって押圧することにより、クリップ部材１０８が、クリップ部材１０８の先端部１０８Ａが筆記具本体１０７から離間するように、回動する。このため、片手の人差し指、中指、薬指、小指で筆記具本体１０７の軸筒２を把持した状態で、クリップ部材１０８の後端部１０８Ｃを押し込むことにより、クリップ部材１０８を開くことができ、片手で操作することができる。
【００７３】
また、本実施形態によれば、クリップ部材１０８を構成する線材の弾性により先端部１０８Ａが筆記具本体１０７に向かってが付勢されるため、ばねなどの付勢部材を用いることなく、簡単な構成でクリップ部材１０８を構成することができる。
【００７４】
また、本実施形態によれば、第２の取付穴１１０ｈが横方向に延びる穴により形成され第２の取付穴１１０ｈには逃げ部１１０ｈ２が形成され、逃げ部１１０ｈ２に第２の端部１０８ｇの屈曲部１０８ｈが配置されている。このように、クリップ部材１０８の第２の端部１０８ｇに屈曲部１０８ｈが形成されているため、クリップ部材１０８が第２の取付穴１１０ｈから外れるのを防止できる。
【００７５】
なお、本実施形態では、第１の取付切欠１１０ｇを切り欠きから形成し、第２の取付穴１１０ｈを横方向に延びる穴により形成したが、これに限らず、切り欠きを横方向に延びる穴に変更してもよいし、横方向に延びる穴を切り欠きに変更してもよい。また、本実施形態では、クリップ部材１０８の第２の端部１０８ｇに屈曲部１０８ｈを形成したが、これに限らず、第１の端部１０８ｆに屈曲部を設けてもよい。
【００７６】
また、本実施形態では、内筒１１０にクリップ取付部１１０ｃを設け、クリップ取付部１１０ｃにクリップ部材１０８を取り付けているが、これに限らず、軸筒２の側面にクリップ取付部を設け、クリップ部材１０８を取り付けてもよい。
【００７７】
また、本実施形態では、第１の取付切欠１１０ｇ及び第２の取付穴１１０ｈが長手方向に整列し、クリップ部材１０８を内筒１１０から取り外した状態において、第１の端部１０８ｆは、第２の端部１０８ｇよりも筆記具本体側に位置するように構成しているが、本発明はこれに限られない。クリップ部材１０８を平坦に形成した場合であっても、筆先側の第２の取付穴１１０ｈを第１の取付切欠１１０ｇよりも筆記具本体１０７側に形成すれば、クリップ部材１０８の先端部が筆記具本体１０７側に付勢することができる。
【００７８】
また、本実施形態では、ノック式のボールペンに本発明を適用した場合について説明したが、本発明が適用できる筆記具はこれに限定されない。例えば、ノック式のシャープペンシルや、ノック機構を備えていない筆記具にも適用できる。また、キャップ式の筆記具のキャップにクリップを取り付けることも可能である。
【００７９】
＜第３実施形態＞
以下、本発明の第３実施形態による筆記具について図面を参照しながら詳細に説明する。なお、以下の説明において、第２実施形態と同様の構成については同じ符号を付して詳細な説明を省略する。
【００８０】
図１８は、本発明の第３実施形態による筆記具を示す斜視図である。図１８に示すように、本実施形態の筆記具２０１は、筆記具本体１０７と、筆記具本体１０７の側部に保持されたクリップ部材２０８とを備える。本実施形態の筆記具２０１は、クリップ部材２０８の構成のみが第２実施形態と異なり、その他の構成は第２実施形態と同様である。
【００８１】
図１９Ａ〜図１９Ｃは、図１８に示す筆記具のクリップ部材を示し、図１９Ａは斜視図、図１９Ｂは正面図、図１９Ｃは側面図である。なお、図１９Ｃにおいては、クリップ部材を内筒から取り外した状態を示している。
【００８２】
図１９Ａ〜図１９Ｃに示すように、クリップ部材２０８は、一本のステンレス等の金属線材が曲げ加工されて形成されている。クリップ部材２０８は、Ｕの字形に形成された先端部２０８Ａと、図形状に形成された後端部２０８Ｃと、先端部２０８Ａ及び後端部２０８Ｃの間の中間部２０８Ｂと、を有する。
【００８３】
先端部２０８Ａは、第１の縦部２０８ｂの前方部と、第２の縦部２０８ｃの前方部と、第１の縦部２０８ｂの前端と第２の縦部２０８ｃの前端とを接続する第１の円弧状部２０８ａと、により構成されている。第１の縦部２０８ｂは、第１の円弧状部２０８ａの右側（図１９Ｂの右側）の端部から後方に向かって中間部２０８Ｂまで延びている。また、第２の縦部２０８ｃは、第１の円弧状部２０８ａの左側（図１９Ｂの左側）の端部から後方に向かって、中間部２０８Ｂを越えて後端部２０８Ｃまで延びている。
【００８４】
後端部２０８Ｃは、第２の縦部２０８ｃの後端部と、動物などのキャラクターを模した図形状に形成された図形部２０８ｄと、図形部２０８ｄの右側（図１９Ｂの右側）の前端部から前方に延びる第３の縦部２０８ｅと、により構成されている。なお、図形部２０８ｄの形状は、動物などのキャラクターに限らず、花などを模した形状や、文字や模様などを模した形状としてもよい。
【００８５】
中間部２０８Ｂは、第３の縦部２０８ｅの前端部から左側（図１９Ｂの左側）に向かって延びる第１の端部２０８ｆと、第１の縦部２０８ｂの後端部から左側（図１９Ｂの左側）に向かって延びる第２の端部２０８ｇとを備える。
【００８６】
クリップ部材２０８を内筒１１０から取り外した状態では、第１の縦部２０８ｂは、第２の縦部２０８ｃが延びる方向に対して、後方に向かって半径方向外側（図１９Ｃの左側）に傾斜している。このため、第１の端部２０８ｆは、第２の端部２０８ｇよりも筆記具本体側に位置している。
【００８７】
組み立て状態において、クリップ部材２０８は、第１の端部２０８ｆが内筒１１０のクリップ取付部１１０ｃの第１の取付切欠１１０ｇに挿入され、第２の端部２０８ｇがクリップ取付部１１０ｃの第２の取付穴１１０ｈに挿入されて固定されている。クリップ部材２０８は、第１の縦部２０８ｂが、第２の縦部２０８ｃと略平行になるように変形された状態で取り付けられている。
【００８８】
これにより、クリップ部材２０８の中間部２０８Ｂがクリップ取付部１１０ｃに保持される。また、上記の通り、クリップ部材２０８が変形された状態で取り付けられているため、クリップ部材２０８を構成する金属線材の弾性力により先端部２０８Ａが筆記具本体１０７に向かって付勢される。これにより、図１８に示すように、クリップ部材２０８を内筒１１０に取り付けた状態で、クリップ部材１０８の先端部１０８Ａが筆記具本体１０７の軸筒２の外周面に当接している。
【００８９】
本実施形態においても、クリップ部材２０８の後端部２０８Ｃを筆記具本体１０７に向かって半径方向内側に押し込むと、クリップ取付部１１０ｃに保持された中間部２０８Ｂを支点として回動し、クリップ部材２０８の先端部２０８Ａが筆記具本体１０７から離間するように半径方向外方に移動する。このため、本実施形態の筆記具２０１の使用者は、片手の人差し指、中指、薬指、小指で筆記具本体１０７の軸筒２を把持した状態で、クリップ部材２０８の後端部２０８Ｃを押し込むことにより、クリップ部材２０８の先端部２０８Ａを筆記具本体１０７から離間させて、クリップ部材２０８と筆記具本体１０７とを開くことができる。
【００９０】
本実施形態によれば、第２実施形態に加えて以下の効果が奏される。
本実施形態では、クリップ部材２０８の後端部２０８Ｃに、線材が屈曲されてなる図形部２０８ｄが形成されているため、クリップ部材２０８に意匠性を持たせることができる。
【００９１】
なお、クリップ部材２０８の筆記具本体１０７への取付構造は本実施形態の構成に限らず、第１実施形態や第２実施形態と同様の構成としてもよい。また、本実施形態では後端部２０８Ｃに図形を形成したが、これに限らず、先端部２０８Ａなどに形成してもよい。
【００９２】
また、本実施形態では、内筒１１０にクリップ取付部１１０ｃを設け、クリップ取付部１１０ｃにクリップ部材１０８を取り付けているが、これに限らず、軸筒２の側面にクリップ取付部を設け、クリップ部材１０８を取り付けてもよい。
【００９３】
＜第４実施形態＞
以下、本発明の第４実施形態による筆記具について図面を参照しながら詳細に説明する。
図２０Ａ〜図２０Ｇは、第４の実施形態の筆記具の内筒を示し、図２０Ａは斜視図、図２０Ｂは正面図、図２０Ｃは右側面図、図２０Ｄは左側面図である。また、図２０Ｅは図２０ＣのＥ−Ｅ断面図、図２０Ｆは図２０ＢのＦ−Ｆ断面図であり、図２０Ｇは図２０ＣのＧ−Ｇ断面図である。第４実施形態による筆記具は、内筒の構成のみが第２実施形態と異なり、その他の構成については第２実施形態と同様である。すなわち、本実施形態の筆記具は、筆記具本体と、筆記具本体の側部に保持されたクリップ部材１０８とを備える。本実施形態の内筒に取り付けられるクリップ部材は第２の実施形態と同じである。そして、筆記具本体は、軸筒２と、軸筒２内に収容されたリフィル部材４と、軸筒２の後端部に設けられた出没機構と、を備え、出没機構は、内筒３１０と、回転子１２と、スプリング部材１４と、ノック部材１６とにより構成される。そして、内筒３１０は軸筒２の後端部に取り付けられるものである。
【００９４】
図２０Ａ〜２０Ｇに示すように、内筒３１０は、円筒状の本体部３１０ａと、本体部３１０ａの後端側に接続された後端部３１０ｂと、本体部３１０ａの後端側に接続されたクリップ取付部３１０ｃとを備える。これら、本体部３１０ａと、後端部３１０ｂと、クリップ取付部３１０ｃとは一体に成形されている。
【００９５】
本体部３１０ａは略円筒状であり、本体部３１０ａの外径は軸筒２の内径よりもわずかに小さい。また、本体部３１０ａの後端部の内周面にはカム部３１０ｆが形成されている。カム部３１０ｆは、回転子１２のカム部１２ｂと協働して、ノック部材１６を押圧することにより、回転子１２を回動させてリフィル部材４の筆先部４ａが軸筒２の先端開口２ａから突出した状態と、軸筒２内に収容された状態とを切り替えることができる。内筒３１０のカム部３１０ｆ及び回転子１２のカム部１２ｂの構成としては、周知の構成を採用することができる。
【００９６】
後端部３１０ｂは、円環状に形成されており、外形が軸筒２の外径と略等しくなっている。後端部３１０ｂには前後方向に貫通する円形の貫通孔が形成されている。
【００９７】
クリップ取付部３１０ｃは、本体部３１０ａの後端から所定の距離をあけて設けられており、側方に向かって延びる柱体状に形成されている。クリップ取付部３１０ｃの横方向（図２０Ｂにおける左右方向）の両側面は平行に形成されている。
【００９８】
クリップ取付部３１０ｃの後部には第１の取付切欠３１０ｇが形成されている。第１の取付切欠３１０ｇは、クリップ取付部３１０ｃの後端部の半径方向内側端部（図２０Ｃのクリップ取付部３１０ｃの上方かつ右側端部）から、まず、前方（図２０Ｃの下側）に延びて屈曲し、前方（図２０Ｃの下側）に向かって半径方向外側（図２０Ｃの左側）に傾斜するように伸びる切り欠きにより構成されている。第１の取付切欠３１０ｇの終端には円柱状の収容部３１０ｇ１が形成されている。
【００９９】
また、クリップ取付部３１０ｃの前部には横方向に貫通する第２の取付穴３１０ｈが形成されている。第２の取付穴３１０ｈは、右側の基端部３１０ｈ１と、左側の逃げ部３１０ｈ２とを有する。基端部３１０ｈ１は、クリップ取付部３１０ｃの右側面に開口しており、円柱状に形成されている。また、逃げ部３１０ｈ２はクリップ取付部３１０ｃの左側面に開口しており、基端部３１０ｈ１よりも直径の大きな円柱状に形成されている。
【０１００】
第１の取付切欠３１０ｇの収容部３１０ｇ１及び第２の取付穴３１０ｈは長手方向に整列しており（すなわち、内筒３１０の中心軸から等距離に位置しており）、第１の取付切欠３１０ｇは第２の取付穴３１０ｈよりも後方に形成されている。
【０１０１】
本実施形態においても、内筒３１０のクリップ取付部３１０ｃの第１の取付切欠３１０ｇにクリップ部材１０８の第１の端部１０８ｆが挿入され、クリップ取付部３１０ｃの第２の取付穴３１０ｈにクリップ部材１０８の第２の端部１０８ｇが挿入されて、クリップ部材１０８が内筒３１０に固定される。この際、第２の端部１０８ｇの先端の屈曲部１０８ｈが、第２の取付穴３１０ｈの逃げ部３１０ｈ２内に位置している。クリップ部材１０８の取付方法は、第２実施形態と同様である。
【０１０２】
本実施形態によれば、クリップ部材１０８を取り付けた際に、クリップ部材１０８が取り付けられる内筒３１０のクリップ取付部３１０ｃの外面が外径側に位置し、第１の取付切欠３１０ｇの端部が露出しないため、意匠性を向上させることができる。
【０１０３】
また、本実施形態では、ノック式のボールペンに本発明を適用した場合について説明したが、本発明が適用できる筆記具はこれに限定されない。例えば、ノック式のシャープペンシルや、ノック機構を備えていない筆記具にも適用できる。また、キャップ式の筆記具のキャップにクリップを取り付けることも可能である。
【０１０４】
なお、本発明において、クリップが筆記具本体に向かって回動するとは、厳密に一つの軸を中心にクリップが回転する場合のみならず、上記各実施形態のようにクリップ部の中間部が支持された状態で、クリップ部材の後部を半径方向内側に押圧することにより、クリップ部材の先端部が半径方向外側に移動する場合を含むものである。
【０１０５】
＜第５実施形態＞
以下、本発明の第５実施形態による筆記具について図面を参照しながら詳細に説明する。
【０１０６】
図２１〜図２３は、本発明の第５実施形態による筆記具を示し、図２１は斜視図、図２２は正面図、図２３は側面図である。また、図２４は、図２１に示す筆記具の軸筒を示す軸方向に沿った断面図である。本実施形態による筆記具４０１は、いわゆるカーンノック式のボールペンであり、後端のノック部材４１６を押し込むことにより、リフィル部材４０４の筆先部４０４ａが軸筒４０２の先端から突出した状態と、リフィル部材４０４の筆先部４０４ａが軸筒４０２内に収容された状態とを切り替えることができる。
【０１０７】
図２１〜図２４に示すように、本実施形態の筆記具４０１は、筆記具本体４０７と、筆記具本体４０７の側部に保持されたクリップ部材４０８とを備える。クリップ部材４０８は、筆記具本体４０７の後方の側部に形成されたクリップ保持部４１８に保持されている。筆記具本体４０７は、円筒状の長尺な軸筒４０２と、軸筒４０２内に収容されたリフィル部材４０４と、軸筒４０２の後端部に設けられた出没機構４０６と、を備える。出没機構４０６は、内筒４１０と、回転子４１２と、スプリング部材４１４と、ノック部材４１６とを備える。
【０１０８】
軸筒４０２は先端部が先細り状である円筒形状に形成されている。軸筒４０２は、先端側の前方軸筒４０２Ａと、後端側の後方軸筒４０２Ｂとが接続されて形成されている。図２５Ａ〜図２５Ｇは、本発明の第５実施形態による筆記具の後方軸筒を示し、図２５Ａは斜視図、図２５Ｂは正面図、図２５Ｃは側面図、図２５Ｄは図２５ＣにおけるＤ−Ｄ断面図、図２５Ｅは図２５ＢにおけるＥ−Ｅ断面図、図２５Ｆは前方から見た図、図２５Ｇは後方から見た図である。図２４に示すように、前方軸筒４０２Ａの後端部の外周面には螺条４０２Ａ１が形成されている。また、図２５Ａ〜図２５Ｇに示すように、後方軸筒４０２Ｂの内周面には螺条４０２Ｂ１が形成されている。前方軸筒４０２Ａの後端部が後方軸筒４０２Ｂの前端側から内側には入り込み、前方軸筒４０２Ａの螺条４０２Ａ１と後方軸筒４０２Ｂの螺条４０２Ｂ１とが螺合することにより、前方軸筒４０２Ａと後方軸筒４０２Ｂとが連結されて軸筒４０２は形成されている。前方軸筒４０２Ａの先端部には先端開口４０２ａが形成されている。また、後方軸筒４０２Ｂの後端には後端開口４０２ｂが形成されている。
【０１０９】
後方軸筒４０２Ｂの後端部の内面には半径方向内側に向かって突出する一対の縮径部４０２ｃが形成されている。縮径部４０２ｃは、半径方向内側から見て矩形状に形成されており、後端部に傾斜面が形成されている。一対の縮径部４０２ｃは中心軸を挟んで対向する位置に配置されている。
【０１１０】
また、後方軸筒４０２Ｂの後端の縁には、後述する内筒４１０の延出部４１０ｂ１に相当する形状の切欠部４０２ｄが形成されている。切欠部４０２ｄの前端部には第１のクリップ保持部４０２ｅが形成されている。第１のクリップ保持部４０２ｅは、後方軸筒４０２Ｂの外周面に立設された基台部４０２ｅ１と、基台部４０２ｅ１に接続された係合部４０２ｅ２とを備える。基台部４０２ｅ１の半径方向外側面は平坦に形成されている。基台部４０２ｅ１の後方面は半径方向外方に向かって前方に向かうように傾斜している。基台部４０２ｅ１の半径方向外側面には、一方の横方向の縁から幅方向中間位置まで延びるような凹部４０２ｅ３が形成されている。係合部４０２ｅ２は、基台部４０２ｅ１の半径方向外側面の前端部に立設されている。係合部４０２ｅ２の半径方向外側面は平坦に形成されており、係合部４０２ｅ２の後端部は半径方向内側に向かって前方に傾斜している。
【０１１１】
図２６Ａ〜図２６Ｈは、図２１に示す筆記具の内筒を示し、図２６Ａは斜視図、図２６Ｂは正面図、図２６Ｃは右側面図、図２６Ｄは左側面図、図２６Ｅは図２６ＢのＥ−Ｅ断面図、図２６Ｆは図２６ＣのＦ−Ｆ断面図、図２６Ｇは図２６ＣのＧ−Ｇ断面図、図２６Ｈは図２６ＣのＨ−Ｈ断面図である。図２６Ａ〜図２６Ｈに示すように、内筒４１０は、円筒状の本体部４１０ａと、本体部４１０ａの後端側に接続された後端部４１０ｂと、本体部４１０ａの後端側に接続された第２のクリップ保持部４１０ｃとを備える。これら、本体部４１０ａと、後端部４１０ｂと、第２のクリップ保持部４１０ｃとは一体に成形されている。
【０１１２】
本体部４１０ａは略円筒状であり、本体部４１０ａの外径は軸筒４０２の内径よりもわずかに小さい。本体部４１０ａの前方側には半径方向内側に向かって凹む凹部４１０ｄが形成されており、凹部４１０ｄの周縁部は段部として形成されている。凹部４１０ｄ内には、凹部４１０ｄの前方の縁に沿うように形成された基部４１０ｅ１と、基部４１０ｅ１から後方に向かって延びる弾性変形部４１０ｅ２とが形成されている。基部４１０ｅ１の内周面は本体部４１０ａの内周面と同一の円筒面状となっており、基部４１０ｅ１の外周面は本体部４１０ａよりも小径の円筒面状になっている。弾性変形部４１０ｅ２は基部４１０ｅ１と同一の円筒面状であり、基部４１０ｅ１の後方縁から後方に向かって延びる片持ち梁形状に形成されている。基部４１０ｅ１の先端部には半径方向外方に向かって突出する凸部４１０ｅ３が形成されている。基部４１０ｅ１の後方及び周方向両側は貫通穴４１０ｅ４により包囲されている。
【０１１３】
また、本体部４１０ａの後端部の内周面にはカム部４１０ｆ（図２６Ｅ）が形成されている。カム部４１０ｆは、回転子４１２のカム部４１２ｂと協働して、ノック部材４１６を押圧することにより、回転子４１２を回動させてリフィル部材４０４の筆先部４０４ａが軸筒４０２の先端開口４０２ａから突出した状態と、軸筒４０２内に収容された状態とを切り替えるための部位である。内筒４１０のカム部４１０ｆ及び回転子４１２のカム部４１２ｂの構成としては、周知の構成を採用することができる。本実施形態では、内筒４１０のカム部４１０ｆは前方に向かって延びる凸部と、凸部の間に後方に向かって延びるように形成された凹部とを有している。
【０１１４】
後端部４１０ｂは、円環状に形成されており、外径は軸筒４０２の外径と略等しくなっている。後端部４１０ｂには前後方向に貫通する円形の貫通穴が形成されている。また、後端部４１０ｂは、本体部４１０ａの外周面に沿って前方に向かって延びる延出部４１０ｂ１を備える。
【０１１５】
第２のクリップ保持部４１０ｃは、延出部４１０ｂ１の前端部に連続して設けられており、側方に向かって延びる柱体状に形成されている。第２のクリップ保持部４１０ｃの横方向（図２６Ｂにおける左右方向）の両側面は平行に形成されている。
【０１１６】
第２のクリップ保持部４１０ｃは、本体部４１０ａから半径方向外方に立設された起立部４１０ｃ１と、起立部４１０ｃ１の半径方向外側の先端に連続して設けられた延出部４１０ｃ２と、を有する。起立部４１０ｃ１の前方の面は半径方向外方に向かって前方へ傾斜している。延出部４１０ｃ２の起立部４１０ｃ１よりも前方の部分には半径方向内側に突出する突出部４１０ｃ３が形成されている。起立部４１０ｃ１と突出部４１０ｃ３との間、かつ、延出部４１０ｃ２との接続部の前方側の角部には第１の凹部４１０ｇが形成されている。また、起立部４１０ｃ１と延出部４１０ｃ２との接続部の後方側の角部には第２の凹部４１０ｈが形成されている。突出部４１０ｃ３の前方側の面は半径方向外方に向かって後方に傾斜している。
【０１１７】
第１の凹部４１０ｇは、半径方向内側に向かって開放されており、横方向（図２６Ｂの左右方向）に貫通している。第１の凹部４１０ｇは半径方向外部（底部）が半円状断面であり、半径方向内部が矩形状断面であり、全体としてＵ字形の断面形状になっている。第１の凹部４１０ｇは横方向の一方側の部分（図２６Ｆの右側の部分）に比べて、他方側の部分（図２６Ｆの他方側の部分）が拡径されて逃げ部が形成されている。第２の凹部４１０ｈは、後方に向かって開放されており、横方向に貫通している。
【０１１８】
回転子４１２は、後方側の基端部４１２ａと、前方側のカム部４１２ｂとを有する。基端部４１２ａは円筒状に形成されており、その外径はノック部材４１６の内径よりも小さい。カム部４１２ｂは円筒状に形成されており、その外径は内筒４１０の本体部４１０ａの内径よりもわずかに小さい。カム部４１２ｂの外面には後方に向かって延びる凸部と、凸部の間に前方に向かって延びるように形成された凹部とを有する。
【０１１９】
ノック部材４１６は上方が閉鎖され、下方が開放された円筒状に形成されている。ノック部材４１６の外径は、内筒４１０の後端部４１０ｂの貫通穴の内径と略等しくなっている。また、ノック部材４１６の外周面の下端部には、周方向にわたって半径方向外方に突出する突部４１６ａが形成されている。
【０１２０】
スプリング部材４１４は、後方端部がリフィル部材４０４の先端部に当接し、先端部が軸筒４０２の先端部に当接している。これにより、スプリング部材４１４は、リフィル部材４０４を後方に向かって付勢している。
【０１２１】
組み立て状態において、内筒４１０は、本体部４１０ａが軸筒４０２の後端開口４０２ｂから挿入され軸筒４０２の内側に位置し、後端部４１０ｂが軸筒４０２の後端縁に当接するように配置されている。また、ノック部材４１６は、内筒４１０の後端部４１０ｂの貫通穴に前方から挿入され、内筒４１０の後方に突出しており、突部４１６ａが内筒４１０の本体部４１０ａの内側に位置している。また、回転子４１２は、基端部４１２ａがノック部材４１６の内側に前方から挿入されており、ノック部材４１６の先端縁が回転子４１２のカム部４１２ｂの後端面に当接している。また、回転子４１２のカム部４１２ｂの先端面がリフィル部材４０４に当接している。これにより、回転子４１２及びノック部材４１６はリフィル部材４０４を介して後方に向かって付勢されている。
【０１２２】
このような状態でノック部材４１６を押し込むことにより、回転子４１２が回転し、内筒４１０のカム部４１０ｆの凹部に回転子４１２のカム部４１２ｂの凸部が入り込んだ状態と、内筒４１０のカム部４１０ｆの凸部の先端と、回転子４１２のカム部４１２ｂの凸部の先端とが当接した状態とが切り替わり、リフィル部材４０４の筆先部４０４ａが軸筒４０２内に収容された状態と、軸筒４０２の先端から突出した状態とを切り替えることができる。
【０１２３】
図２７Ａ〜図２７Ｃは、図２１に示す筆記具のクリップ部材を示し、図２７Ａは斜視図、図２７Ｂは正面図、図２７Ｃは側面図である。なお、図２７Ａ〜図２７Ｃにおいては、クリップ部材を内筒から取り外した状態を示している。図２７Ａ〜図２７Ｃに示すように、クリップ部材４０８は、一本のステンレス等の金属線材が曲げ加工されて形成されている。クリップ部材４０８は、Ｕの字形に形成された先端部４０８Ａと、Ｕの字形の形成された後端部４０８Ｃと、先端部４０８Ａ及び後端部４０８Ｃの間の中間部４０８Ｂと、を有する。
【０１２４】
先端部４０８Ａは、第１の縦部４０８ｂの前方部と、第２の縦部４０８ｃの前方部と、第１の縦部４０８ｂの前端と第２の縦部４０８ｃの前端とを接続する第１の円弧状部４０８ａと、により構成されている。第１の縦部４０８ｂは、第１の円弧状部４０８ａの右側（図２７Ｂの右側）の端部から後方に向かって中間部４０８Ｂまで延びている。また、第２の縦部４０８ｃは、第１の円弧状部４０８ａの左側（図２７Ｂの左側）の端部から後方に向かって、中間部４０８Ｂを越えて後端部４０８Ｃまで延びている。
【０１２５】
後端部４０８Ｃは、第２の縦部４０８ｃの後端部と、第２の縦部４０８ｃの後端部から右側（図２７Ｂの右側）に円弧状に延びる第２の円弧状部４０８ｄと、第２の円弧状部４０８ｄの右側（図２７Ｂの右側）の端部から前方に延びる第３の縦部４０８ｅと、により構成されている。
【０１２６】
中間部４０８Ｂは、第３の縦部４０８ｅの前端部から左側（図２７Ｂの左側）に向かって延びる第１の端部４０８ｆと、第１の縦部４０８ｂの後端部から左側（図２７Ｂの左側）に向かって延びる第２の端部４０８ｇとを備える。第２の端部４０８ｇの先端には、左方向に向かって前方に傾斜する屈曲部４０８ｈが形成されている。
【０１２７】
クリップ部材４０８を内筒４１０から取り外した状態では、第１の縦部４０８ｂは、第２の縦部４０８ｃが延びる方向に対して、後方に向かって半径方向外側（図２７Ｃの左側）に傾斜している。このため、第１の端部４０８ｆは、第２の端部４０８ｇよりも筆記具本体側に位置している。
【０１２８】
本実施形態の筆記具を組み立てる際には、まず、クリップ部材を内筒に取り付ける。図２８Ａ〜図３１Ａは、本発明の第５実施形態の筆記具におけるクリップ部材を内筒に取り付け、内筒を後方軸筒に取り付ける方法を説明するための斜視図である。また、図２８Ｂ〜３１Ｂは、それぞれ図２８Ａ〜図３１Ａに対応する側面図である。
【０１２９】
図２８Ａ及び図２８Ｂに示すように、クリップ部材４０８を内筒４１０に取り付けるには、まず、図中矢印に示すように、クリップ部材４０８を前方に向かって移動させて、第１の端部４０８ｆを後方から第２の凹部４１０ｈ内に挿入する。
【０１３０】
次に、図２９Ａ及び図２９Ｂに示すように、クリップ部材４０８の第２の端部４０８ｇを半径方向内側に内筒４１０に向かって押圧する。そして、第２の端部４０８ｇを半径方向内側から第１の凹部４１０ｇ内に嵌め込む。この際、屈曲部４０８ｈが第１の凹部４１０ｇの拡径された部分に位置するように嵌め込む。
【０１３１】
次に、図３０Ａ及び図３０Ｂに示すように、内筒４１０の延出部４１０ｂ１が後方軸筒４０２Ｂの切欠部４０２ｄ内に入り込むように、図中矢印に示すように、内筒４１０を前方に移動して、後方軸筒４０２Ｂの後端開口４０２ｂに挿入する。このように、内筒４１０の延出部４１０ｂ１が後方軸筒４０２Ｂの切欠部４０２ｄ内に入り込むように配置することにより、内筒４１０の凹部４１０ｄが、後方軸筒４０２Ｂの縮径部４０２ｃと軸方向に整列する。
【０１３２】
この際、図３１Ａ及び図３１Ｂに示すように、クリップ部材４０８の後端部４０８Ｃを後方軸筒４０２Ｂに向かって半径方向内側に押し込むと、第２のクリップ保持部４１０ｃに保持された中間部４０８Ｂを支点として回動し、クリップ部材４０８の先端部４０８Ａが後方軸筒４０２Ｂから離間するように半径方向外方に移動する。そして、このような状態で内筒４１０を前方に挿入すると、縮径部４０２ｃの後方部が傾斜面に形成されているため、内筒４１０の前方縁が縮径部４０２ｃを乗り越えることができる。内筒４１０の第２のクリップ保持部４１０ｃの起立部４１０ｃ１の前方側の傾斜面が、後方軸筒４０２Ｂの基台部４０２ｅ１の後方の傾斜面と当接するまで、内筒４１０を挿入する。これにより、内筒４１０の凹部４１０ｄ内に後方軸筒４０２Ｂの縮径部４０２ｃが入り込む。これにより、内筒４１０に後方軸筒４０２Ｂに対して後方に向かうような引抜力が作用しても、後方軸筒４０２Ｂの縮径部４０２ｃの前方縁部が、内筒４１０の凹部４１０ｄの前方縁の段部と当接し、内筒４１０が後方軸筒４０２Ｂから離脱するのを防止できる。さらに、後方軸筒４０２Ｂの縮径部４０２ｃの半径方向内面が、弾性変形部４１０ｅ２に形成された凸部４１０ｅ３に当接し、弾性変形部４１０ｅ２が半径方向内方に向かって湾曲される。これにより、弾性変形部４１０ｅ２の後端部の内縁は回転子４１２のカム部４１２ｂの外径よりも内方まで突出する。
【０１３３】
また、内筒４１０の起立部４１０ｃ１の前方側の傾斜面が、後方軸筒４０２Ｂの基台部４０２ｅ１の後方の傾斜面と当接することにより、後方軸筒４０２Ｂの第１のクリップ保持部４０２ｅと、内筒４１０の第２のクリップ保持部４１０ｃとにより、筆記具本体４０７から側方に立設されたクリップ保持部４１８が形成される。また、内筒４１０の第１の凹部４１０ｇと、後方軸筒４０２Ｂの凹部４０２ｅ３とが一体となって貫通穴４２０を形成する。この貫通穴４２０は、一方の基端部に比べて他方の端部が大径になっている。貫通穴４２０内に第２の端部４０８ｇが配置され、貫通穴４２０内の大径の逃げ部に屈曲部４０８ｈが配置される。これにより、クリップ部材４０８の第２の端部４０８ｇが貫通穴４２０内に保持される。このようにクリップ部材４０８は、第１の端部４０８ｆが、内筒４１０の第２の凹部４１０ｈに取り付けられ、第２の端部４０８ｇが貫通穴４２０に取り付けられることにより固定されている。すなわち、クリップ保持部４１８を構成する内筒４１０の第２の凹部４１０ｈ及び貫通穴４２０が取付部として機能する。このようにして形成された貫通穴４２０（取付部）は、内筒４１０の第２のクリップ保持部４１０ｃと、後方軸筒４０２Ｂの第１のクリップ保持部４０２ｅの境界面に形成されている。
【０１３４】
そして、内筒４１０を後方軸筒４０２Ｂに取り付けた後、ノック部材４１６を後方軸筒４０２Ｂの前方から後方軸筒４０２Ｂ内に挿入し、さらに、回転子４１２を後方軸筒４０２Ｂの前方から後方軸筒４０２Ｂ内に挿入する。図３２Ａ〜図３２Ｄは、本発明の第５実施形態の筆記具におけるクリップ部材を取り付けた内筒を後方軸筒に取り付け、ノック部材及び回転子を取り付けた状態を示し、図３２Ａは図２４に対応する断面図、図３２Ｂは図３２ＡにおけるＢ−Ｂ断面図、図３２Ｃは図３２ＢにおけるＣ部の拡大断面図、図３２Ｄは図３２ＡにおけるＤ−Ｄ断面図である。図３２Ａ〜図３２Ｄに示すように、弾性変形部４１０ｅ２は基部４１０ｅ１から後方に向かって延びているため、弾性変形部４１０ｅ２が半径方向内方に突出していても、回転子４１２を挿入する際に回転子４１２をスムーズに挿入することができる。そして、一度回転子４１２を、弾性変形部４１０ｅ２を乗り越えて後方まで挿入すると、回転子４１２を前方に移動しようとしても、弾性変形部４１０ｅ２の後方の縁が回転子４１２の外径よりの内方まで突出しているため、回転子４１２の前方のカム部４１２ｂの外周縁が弾性変形部４１０ｅ２の後方の端面に当接する。このため、リフィル４の交換時などに筆記具４０１を分解しても、回転子４１２は、弾性変形部４１０ｅ２により後方軸筒４０２Ｂ内に保持されている。
【０１３５】
次に、前方軸筒４０２Ａの先端部にスプリング部材４１４を配置し、スプリング部材４１４の内側に先端部が挿入されるように、リフィル部材４０４を配置した状態で、前方軸筒４０２Ａと後方軸筒４０２Ｂとを螺合接続させる。これにより、スプリング部材４１４によりリフィル部材４０４が後方に付勢されて回転子４１２の前端面に当接する。そして、回転子４１２を介してノック部材４１６が後方に付勢され、ノック部材４１６の突部４１６ａが内筒４１０の後端部４１０ｂの前方の縁に当接する。これにより、筆記具４０１の組み立てが完了する。
【０１３６】
組み立て状態において、クリップ部材４０８の後端部４０８Ｃを筆記具本体４０７に向かって半径方向内側に押し込むと、第２のクリップ保持部４１０ｃに保持された中間部４０８Ｂを支点として回動し、クリップ部材４０８の先端部４０８Ａが筆記具本体４０７から離間するように半径方向外方に移動する。このため、本実施形態の筆記具４０１の使用者は、片手の人差し指、中指、薬指、小指で筆記具本体４０７の軸筒４０２を把持した状態で、クリップ部材４０８の後端部４０８Ｃを押し込むことにより、クリップ部材４０８の先端部４０８Ａを筆記具本体４０７から離間させて、クリップ部材４０８と筆記具本体４０７とを開くことができる。
【０１３７】
なお、本発明において、クリップが筆記具本体に向かって回動するとは、厳密に一つの軸を中心にクリップが回転する場合のみならず、上記実施形態のようにクリップ部の中間部が支持された状態で、クリップ部材の後部を半径方向内側に押圧することにより、クリップ部材の先端部が半径方向外側に移動する場合を含むものである。
【０１３８】
本実施形態によれば、以下の効果が奏される。
本実施形態では、クリップ部材４０８の中間部４０８Ｂが筆記具本体４０７の側部に保持されており、クリップ部材４０８の後端部４０８Ｃを筆記具本体４０７に向かって押圧することにより、クリップ部材４０８が、クリップ部材４０８の先端部４０８Ａが筆記具本体４０７から離間するように、回動する。このため、片手の人差し指、中指、薬指、小指で筆記具本体４０７の軸筒４０２を把持した状態で、クリップ部材４０８の後端部４０８Ｃを押し込むことにより、クリップ部材４０８を開くことができ、片手で操作することができる。
【０１３９】
また、本実施形態によれば、クリップ部材４０８を構成する線材の弾性により先端部４０８Ａが筆記具本体４０７に向かってが付勢されるため、ばねなどの付勢部材を用いることなく、簡単な構成でクリップ部材８を構成することができる。
【０１４０】
また、本実施形態によれば、貫通穴４２０が横方向に延びる穴により形成され貫通穴４２０には逃げ部が形成され、逃げ部に第２の端部４０８ｇの屈曲部４０８ｈが配置されている。このように、クリップ部材４０８の第２の端部４０８ｇに屈曲部４０８ｈが形成されているため、クリップ部材４０８が貫通穴４２０から外れるのを防止できる。
【０１４１】
また、本実施形態では、クリップ保持部４１８は貫通穴４２０を有し、クリップ部材４０８が線材からなり、線材からなる部分が貫通穴４２０内に配置されて保持されており、貫通穴４２０は軸筒２と内筒４１０との境界面に形成されている。このような構成によれば、クリップ部材４０８を貫通穴４２０により保持するため、クリップ部材４０８が簡単に外れることを防止できるとともに、貫通穴４２０が軸筒２と内筒４１０との境界面に配置されているため、容易にクリップ部材４０８を貫通穴４２０内に配置することができる。
【０１４２】
本実施形態の筆記具４０１は、筒状の軸筒４０２と、軸筒４０２の内側に配置される内筒４１０と、内筒４１０の内側に配置される回転子４１２と、を備え、内筒４１０には、組立状態において回転子４１２よりも先端側に、軸筒４０２内に配置された際に内方に向かって、回転子４１２の外径よりも内方まで突出する弾性変形部４１０ｅ２が形成されている。このような構成によれば、内筒４１０を軸筒４０２内に配置すると弾性変形部４１０ｅ２が内方に向かって、回転子４１２の外径よりも内方まで突出する。これにより、リフィル部材４０４を交換する際などにおいても、回転子４１２が弾性変形部４１０ｅ２に当接するため、軸筒４０２から回転子４１２が離脱するのを防止できる。
【０１４３】
また、本実施形態では、軸筒４０２の内周面には縮径部４０２ｃが形成されており、弾性変形部４１０ｅ２は外周面が縮径部４０２ｃに当接することにより、内方に向かって突出する。このような構成によれば、内筒４１０を軸筒４０２内に配置することにより弾性変形部４１０ｅ２を内方に向かって突出させることができ、内筒４１０の構成を複雑にすることなく回転子４１２の離脱を防止できる。
【０１４４】
また、本実施形態では、内筒４１０は外周面の凹部４１０ｄの周縁に段部を有し、軸筒４０２の内側に内筒４１０が配置された状態で、内筒４１０に引抜力が作用すると段部が縮径部４０２ｃに係合し、引き抜き力に抵抗する。このような構成によれば、段部が縮径部４０２ｃに係合するため、内筒４１０を軸筒４０２に固定することができる。
【０１４５】
また、本実施形態では、弾性変形部４１０ｅ２は、後方に向かって延びる片持ち梁形状である。このような構成によれば、簡単な構成で内筒が軸筒内に配置された際に弾性変形部４１０ｅ２を内方に突出するように構成することができる。
【０１４６】
また、本実施形態では、筆記具４０１は軸筒４０２に沿って設けられたクリップ部材４０８を有し、軸筒４０２と内筒４１０によりクリップ部材４０８を保持するクリップ保持部４１８が形成される。このような構成によれば、クリップ部材４０８の取付作業を簡単に行うことができる。
【０１４７】
また、本実施形態では、クリップ保持部４１８は貫通穴４２０を有し、クリップ部材４０８が線材からなり、線材からなる部分が貫通穴４２０内に配置されて保持されており、貫通穴４２０は軸筒２と内筒４１０との境界面に形成されている。このような構成によれば、クリップ部材４０８を貫通穴４２０により保持するため、クリップ部材４０８が簡単に外れることを防止できるとともに、貫通穴４２０が軸筒２と内筒４１０との境界面に配置されているため、容易にクリップ部材４０８を貫通穴４２０内に配置することができる。
【０１４８】
なお、本実施形態では、貫通穴４２０及び第２の凹部４１０ｈが長手方向に整列し、クリップ部材４０８を内筒４１０から取り外した状態において、第１の端部４０８ｆは、第２の端部４０８ｉよりも筆記具本体側に位置するように構成しているが、本発明はこれに限られない。クリップ部材４０８を平坦に形成した場合であっても、筆先側の第２の凹部４１０ｈを貫通穴４２０よりも筆記具本体４０７側に形成すれば、クリップ部材４０８の先端部が筆記具本体４０７側に付勢することができる。
【０１４９】
また、本実施形態では、クリップ部材４０８の第１の端部４０８ｈ及び第２の端部４０８ｉを固定するために、貫通穴４２０及び第２の凹部４１０ｈを設けたが、これに限らず、切り欠きを形成してもよい。
【０１５０】
また、本実施形態では、ノック式のボールペンに本発明を適用した場合について説明したが、本発明が適用できる筆記具はこれに限定されない。例えば、ノック式のシャープペンシルや、ノック機構を備えていない筆記具にも適用できる。また、キャップ式の筆記具のキャップにクリップを取り付けることも可能である。
【符号の説明】
【０１５１】
１          筆記具
２          軸筒
２ａ        先端開口
２ｂ        後端開口
２ｃ        凸部
２ｄ        切欠部
４          リフィル部材
４ａ        筆先部
６          出没機構
７          筆記具本体
８          クリップ部材
８Ａ        先端部
８Ｂ        中間部
８Ｃ        後端部
８ａ        円弧状部
８ｂ        第１の縦部
８ｃ        第２の縦部
８ｄ        第１の横部
８ｅ        第３の縦部
８ｆ        第２の横部
８ｇ        第４の縦部
８ｈ        第１の端部
８ｉ        第２の端部
１０        内筒
１０ａ      本体部
１０ｂ      後端部
１０ｃ      クリップ取付部
１０ｄ      突出部
１０ｆ      カム部
１０ｇ      第１の取付穴
１０ｈ      第２の取付穴
１２        回転子
１２ａ      基端部
１２ｂ      カム部
１４        スプリング部材
１６        ノック部材
１６ａ      突部
１０１      筆記具
１０６      出没機構
１０７      筆記具本体
１０８      クリップ部材
１０８Ａ    先端部
１０８Ｂ    中間部
１０８Ｃ    後端部
１０８ａ    第１の円弧状部
１０８ｂ    第１の縦部
１０８ｃ    第２の縦部
１０８ｄ    第２の円弧状部
１０８ｅ    第３の縦部
１０８ｆ    第１の端部
１０８ｇ    第２の端部
１０８ｈ    屈曲部
１１０      内筒
１１０ａ    本体部
１１０ｂ    後端部
１１０ｃ    クリップ取付部
１１０ｆ    カム部
１１０ｇ    第１の取付切欠
１１０ｇ１  収容部
１１０ｈ    第２の取付穴
１１０ｈ１  基端部
１１０ｈ２  逃げ部
１１６      ノック部材
２０１      筆記具
２０８      クリップ部材
２０８Ａ    先端部
２０８Ｂ    中間部
２０８Ｃ    後端部
２０８ａ    第１の円弧状部
２０８ｂ    第１の縦部
２０８ｃ    第２の縦部
２０８ｄ    図形部
２０８ｅ    第３の縦部
２０８ｆ    第１の端部
２０８ｇ    第２の端部
３１０      内筒
３１０ａ    本体部
３１０ｂ    後端部
３１０ｃ    クリップ取付部
３１０ｆ    カム部
３１０ｇ    第１の取付切欠
３１０ｇ１  収容部
３１０ｈ    第２の取付穴
３１０ｈ１  基端部
３１０ｈ２  逃げ部
４０１        筆記具
４０２        軸筒
４０２Ａ      前方軸筒
４０２Ａ１    螺条
４０２Ｂ      後方軸筒
４０２Ｂ１    螺条
４０２ａ      先端開口
４０２ｂ      後端開口
４０２ｃ      縮径部
４０２ｄ      切欠部
４０２ｅ      第１のクリップ保持部
４０２ｅ１    基台部
４０２ｅ２    係合部
４０２ｅ３    凹部
４０４        リフィル部材
４０４ａ      筆先部
４０６        出没機構
４０７        筆記具本体
４０８        クリップ部材
４０８Ａ      先端部
４０８Ｂ      中間部
４０８Ｃ      後端部
４０８ａ      第１の円弧状部
４０８ｂ      第１の縦部
４０８ｃ      第２の縦部
４０８ｄ      第２の円弧状部
４０８ｅ      第３の縦部
４０８ｆ      第１の端部
４０８ｇ      第２の端部
４０８ｈ      屈曲部
４１０      内筒
４１０ａ    本体部
４１０ｂ    後端部
４１０ｂ１  延出部
４１０ｃ    第２のクリップ保持部
４１０ｃ１  起立部
４１０ｃ２  延出部
４１０ｃ３  突出部
４１０ｄ    凹部
４１０ｅ１  基部
４１０ｅ２  弾性変形部
４１０ｅ３  凸部
４１０ｅ４  貫通穴
４１０ｆ    カム部
４１０ｇ    第１の凹部
４１０ｈ    第２の凹部
４１２      回転子
４１２ａ    基端部
４１２ｂ    カム部
４１４      スプリング部材
４１６      ノック部材
４１６ａ    突部
４１８      クリップ保持部
４２０      貫通穴
【図１】
2020163826.tif 000003
【図２】
2020163826.tif 000004
【図３】
2020163826.tif 000005
【図４】
2020163826.tif 000006
【図５Ａ】
2020163826.tif 000007
【図５Ｂ】
2020163826.tif 000008
【図５Ｃ】
2020163826.tif 000009
【図５Ｄ】
2020163826.tif 000010
【図５Ｅ】
2020163826.tif 000011
【図５Ｆ】
2020163826.tif 000012
【図６Ａ】
2020163826.tif 000013
【図６Ｂ】
2020163826.tif 000014
【図６Ｃ】
2020163826.tif 000015
【図７】
2020163826.tif 000016
【図８】
2020163826.tif 000017
【図９】
2020163826.tif 000018
【図１０】
2020163826.tif 000019
【図１１】
2020163826.tif 000020
【図１２Ａ】
2020163826.tif 000021
【図１２Ｂ】
2020163826.tif 000022
【図１２Ｃ】
2020163826.tif 000023
【図１２Ｄ】
2020163826.tif 000024
【図１２Ｅ】
2020163826.tif 000025
【図１２Ｆ】
2020163826.tif 000026
【図１２Ｇ】
2020163826.tif 000027
【図１３Ａ】
2020163826.tif 000028
【図１３Ｂ】
2020163826.tif 000029
【図１３Ｃ】
2020163826.tif 000030
【図１４Ａ】
2020163826.tif 000031
【図１４Ｂ】
2020163826.tif 000032
【図１５Ａ】
2020163826.tif 000033
【図１５Ｂ】
2020163826.tif 000034
【図１６】
2020163826.tif 000035
【図１７】
2020163826.tif 000036
【図１８】
2020163826.tif 000037
【図１９Ａ】
2020163826.tif 000038
【図１９Ｂ】
2020163826.tif 000039
【図１９Ｃ】
2020163826.tif 000040
【図２０Ａ】
2020163826.tif 000041
【図２０Ｂ】
2020163826.tif 000042
【図２０Ｃ】
2020163826.tif 000043
【図２０Ｄ】
2020163826.tif 000044
【図２０Ｅ】
2020163826.tif 000045
【図２０Ｆ】
2020163826.tif 000046
【図２０Ｇ】
2020163826.tif 000047
【図２１】
2020163826.tif 000048
【図２２】
2020163826.tif 000049
【図２３】
2020163826.tif 000050
【図２４】
2020163826.tif 000051
【図２５Ａ】
2020163826.tif 000052
【図２５Ｂ】
2020163826.tif 000053
【図２５Ｃ】
2020163826.tif 000054
【図２５Ｄ】
2020163826.tif 000055
【図２５Ｅ】
2020163826.tif 000056
【図２５Ｆ】
2020163826.tif 000057
【図２５Ｇ】
2020163826.tif 000058
【図２６Ａ】
2020163826.tif 000059
【図２６Ｂ】
2020163826.tif 000060
【図２６Ｃ】
2020163826.tif 000061
【図２６Ｄ】
2020163826.tif 000062
【図２６Ｅ】
2020163826.tif 000063
【図２６Ｆ】
2020163826.tif 000064
【図２６Ｇ】
2020163826.tif 000065
【図２６Ｈ】
2020163826.tif 000066
【図２７Ａ】
2020163826.tif 000067
【図２７Ｂ】
2020163826.tif 000068
【図２７Ｃ】
2020163826.tif 000069
【図２８Ａ】
2020163826.tif 000070
【図２８Ｂ】
2020163826.tif 000071
【図２９Ａ】
2020163826.tif 000072
【図２９Ｂ】
2020163826.tif 000073
【図３０Ａ】
2020163826.tif 000074
【図３０Ｂ】
2020163826.tif 000075
【図３１Ａ】
2020163826.tif 000076
【図３１Ｂ】
2020163826.tif 000077
【図３２Ａ】
2020163826.tif 000078
【図３２Ｂ】
2020163826.tif 000079
【図３２Ｃ】
2020163826.tif 000080
【図３２Ｄ】
2020163826.tif 000081